(57)【要約】【課題】夜間等のような暗闇の中でも目視可能でよく目立つ御札を提供する。【解決手段】本御札１は、蓄光シート２の発光面２Ａ側に神仏に関わる文字３Ａを印刷したものである。暗闇の中では、予め日光や蛍光灯の光を蓄光した蓄光シート２の発光面２Ａが発光することによって、神仏に関わる文字３Ａの周囲が光り、その光りの中にかかる文字３Ａが鮮明に浮き出て見える等、本御札１は夜間等のような暗闇の中でも目視可能でよく目立つ。【選択図】図１
0003156571.tif 000002
【実用新案登録請求の範囲】
【請求項１】
蓄光シートの発光面側に神仏に関わる文字または図案を印刷してなることを特徴とする御札。
【請求項２】
前記蓄光シートは、
シート状の基材と、
前記基材の表面に蓄光材を塗布してなる蓄光層と、
前記蓄光層の表面を保護する光透過性のプラスチック保護フィルムと、
前記基材の裏面に粘着剤を塗布してなる粘着層と、
前記粘着層の表面に剥離剤を介して剥離可能に貼付してなる剥離シートと、を含んで構成され、
前記蓄光層の表面が前記蓄光シートの発光面として発光し、この発光面側に位置する前記プラスチック保護フィルムの表面に前記神仏に関わる文字または図案が印刷されていること
を特徴とする請求項１に記載の御札。
【請求項３】
前記御札は掛軸の本紙として該掛軸の表紙に貼付してあること
を特徴とする請求項１又は２に記載の御札。
【請求項４】
前記御札はフォログラムの額縁に嵌め込まれていること
を特徴とする請求項１又は２に記載の御札。
【考案の詳細な説明】
【技術分野】
【０００１】
本考案は、神社や寺などが提供する神札、護符その他の御札（おふだ）に関し、特に夜間等のような暗闇の中でも目視可能でよく目立つようにしたものである。
【背景技術】
【０００２】
従来、神社や寺などが提供する神札、護符その他の御札は、和紙や上質紙等の用紙を御札の大きさに裁断し、裁断した用紙に神仏に関わる文字又は図案を印刷した構成になっている。
【０００３】
上記のような構成からなる御札は、例えば神棚に立て掛けたり、室内の柱に両面テープ等で貼り付けたりしている。しかしながら、夜間等のような暗闇ではその御札を目視で視認することは困難であり、暗闇の中では御札としての存在感は非常に小さい。蛍光灯等の照明を点灯させれば暗闇でも御札を目視で視認できるが、御札を見るだけのために照明を点灯させるのは煩わしい。
【考案の概要】
【考案が解決しようとする課題】
【０００４】
本考案は、前記問題点を解決するためになされたものであり、その目的は、夜間等のような暗闇の中でも目視可能でよく目立つ御札を提供することにある。
【課題を解決するための手段】
【０００５】
前記目的を達成するために、本考案は、蓄光シートの発光面側に神仏に関わる文字または図案を印刷してなることを特徴とする。
【０００６】
前記本考案において、前記蓄光シートは、シート状の基材と、前記基材の表面に蓄光材を定着させてなる蓄光層と、前記蓄光層の表面を保護する光透過性のプラスチック保護フィルムと、前記基材の裏面に粘着剤を塗布してなる粘着層と、前記粘着層の表面に剥離剤を介して剥離可能に貼付してなる剥離シートと、を含んで構成され、前記蓄光層の表面が前記蓄光シートの発光面として発光し、この発光面側に位置する前記プラスチック保護フィルムの表面に前記神仏に関わる文字または図案が印刷されている構成を採用することができる。
【０００７】
前記本考案において、前記御札は掛軸の本紙として該掛軸の表紙に貼付することができる。
【０００８】
また、前記本考案において、前記御札はフォログラムの額縁に嵌め込まれるようにしてもよい。
【考案の効果】
【０００９】
本考案によると、前記の通り、御札の具体的な構造として、蓄光シートの発光面側に神仏に関わる文字または図案を印刷した構造を採用した。このため、暗闇の中では、予め日光や蛍光灯の光を蓄光した蓄光シートの発光面が発光することで、神仏に関わる文字又は図案の周囲が光り、その光りの中にかかる文字又は図案が鮮明に浮き出て見える等、夜間等のような暗闇の中でも目視可能でよく目立つ御札を提供し得る。
【図面の簡単な説明】
【００１０】
【図１】図１は本考案の第１の実施形態である御札の説明図であり、同図（ａ）は御札の平面図、同図（ｂ）はその断面図である。
【図２】図２（ａ）（ｂ）は図１に示す御札の使用状態の説明図、図２（ｃ）は同図（ｂ）中のＡ−Ａ断面図である。
【図３】図３（ａ）（ｂ）はそれぞれ本考案の第２の実施形態である御札の平面図である。
【図４】図４は本考案の第３の実施形態である御札の平面図である。
【図５】図５は本考案の第４の実施形態である御札の平面図である。
【考案を実施するための形態】
【００１１】
以下、本考案を実施するための最良の形態について、添付した図面を参照しながら詳細に説明する。
【００１２】
図１は本考案の第１の実施形態である御札の説明図である。本御札１は、図１（ａ）のように蓄光シート２の発光面２Ａ側に神仏に関わる文字３Ａ（同図の例では神様に関わる文字「○○○○神」）を印刷したものである。
【００１３】
前記蓄光シート２は、図１（ｂ）のように、シート状の基材２０と、基材２０の表面に蓄光材を定着させてなる蓄光層２１と、蓄光層２１の表面を保護する光透過性のプラスチック保護フィルム２２と、基材２０の裏面に粘着剤を塗布してなる粘着層２３と、粘着層２３の表面に剥離剤２４を介して剥離可能に貼付してなる剥離シート２５とによって構成されている。そして、図１（ｂ）の御札１では、前記蓄光層２１の表面が蓄光シート２の発光面２Ａとして発光し、この発光面２Ａ側に位置する前記プラスチック保護フィルム２２の表面に神仏に関わる文字３Ａが印刷されている。
【００１４】
前記シート状の基材２０としては、紙類のほか、プラスチックフィルムなどを採用することができる。
【００１５】
前記蓄光層２１を構成する蓄光材は、自然光（太陽光）や蛍光灯等の人工光などから光エネルギーを吸収して蓄積し、その蓄えたエネルギーをゆっくり光として放出する特性を持つ材料であり、かかる特性を有する材料であれば、どのような材料でも前記蓄光層２１を構成する蓄光材として採用することができる。一般に市販されている公知の蓄光材を採用してもよい。
【００１６】
前記プラスチック保護フィルム２２としては、例えばポリエチレンテレフタレート（ＰＥＴ）樹脂シート、ポリプロピレン樹脂シート、アクリル系樹脂シートなど、各種シートを採用することができる。蓄光シート２の発光面２Ａ（蓄光層２１の表面）から放射される光は本プラスチック保護フィルム２２を透過して外部に放出されるため、本プラスチック保護フィルム２２はできるだけ光透過性に優れた透明度の高いものが好ましい。蓄光層２１を保護する必要がないなら、本プラスチック保護フィルム２２は省略することができる。この場合、先に説明した神仏に関わる文字３Ａは前記蓄光層２１の表面に直接印刷される。
【００１７】
前記粘着層２３を構成する粘着剤や前記剥離剤２４としては、公知の粘着剤や剥離剤を採用することができ、その種類は特に限定されない。また、前記剥離シート２５としては例えば紙類のほか、プラスチックフィルムなどを採用することができる。
【００１８】
前記のような構成からなる図１の御札１の使用方法としては、例えば、図２（ａ）のように室内の棚Ｓの上に置いて壁Ｗに立て掛けたり、図２（ｂ）のように室内の柱Ｐに貼り付けたりすることが考えられる。
【００１９】
図１の御札１を柱Ｐに貼り付けて使用する場合は、御札１の裏面から剥離シート２５を剥がして粘着層２３を露出させ、その粘着力を利用して当該御札１を図２（ｃ）のように柱Ｐに貼り付けることができるが、これ以外の方法で貼り付けてもよい。また、図１の御札１を壁Ｗに立て掛ける場合は、その御札１を直接壁Ｗに立て掛けてもよいし、図示しない硬質ケースに御札１を収容して立て掛けてもよい。
【００２０】
図３（ａ）（ｂ）はそれぞれ本考案の第２の実施形態である御札の平面図である。この図３（ａ）の御札１では、神仏に関わる文字３Ｂとして「南無阿弥陀仏」や「南無妙法蓮華経」のような仏様に関わる文字を蓄光シート２の発光面２Ａ側に印刷してある。一方、図３（ｂ）の御札１では、神仏に関わる図案３Ｃとして十三仏の絵柄を蓄光シート２の発光面２Ａ側に印刷してある。かかる図案３Ｃは図３（ｂ）の絵柄に限定されず、様々な仏様に関わる図案を採用することができる。また、図示は省略するが、かかる図案３Ｃとして神様に関わる図案を採用することもできる。
【００２１】
図３（ａ）（ｂ）の御札１において、前記文字３Ｂや図案３Ｃ以外の他の構成は、先に説明した第１の実施形態である図１の御札１と同一であるため、同一部材には同一符号を付し、その詳細説明は省略する。
【００２２】
図４は本考案の第３の実施形態である御札の平面図である。図４では図３（ａ）の御札１を公知のフォログラムの額縁４に嵌め込んだ例を示したが、図３（ｂ）や図１（ａ）の御札１を当該額縁４に嵌め込んでもよい。
【００２３】
図５は本考案の第４の実施形態である御札の平面図である。図５は、図３（ａ）の御札１又はその拡大サイズ版若しくは縮小サイズ版を、掛軸５の本紙として、該掛軸５の表紙５Ａに貼付した例を示している。
【００２４】
以上説明した第１ないし第４の実施形態に係る御札１によると、その具体的な構造として、蓄光シート２の発光面２Ａ側に神仏に関わる文字３Ａ、３Ｂまたは図案３Ｃを印刷した構成を採用した。このため、暗闇の中では、予め日光や蛍光灯の光を蓄光した蓄光シート２の発光面２Ａが発光することで、神仏に関わる文字３Ａ、３Ｂ又は図案３Ｃの周囲が光り、その光りの中にかかる文字３Ａ、３Ｂ又は図案３Ｃが鮮明に浮き出て見える等、夜間等のような暗闇の中でも御札１は目視可能でよく目立つ等の作用効果が得られる。
【符号の説明】
【００２５】
１  御札
２  蓄光シート
２０  シート状の基材
２１  蓄光層
２２  プラスチック保護フィルム
２３  粘着層
２４  剥離剤
２５  剥離シート
３Ａ、３Ｂ  神仏に関わる文字
３Ｃ  神仏に関わる図案
４  フォログラムの額縁
５  掛軸
５Ａ  掛軸の表紙
【図１】
0003156571.tif 000003
【図２】
0003156571.tif 000004
【図３】
0003156571.tif 000005
【図４】
0003156571.tif 000006
【図５】
0003156571.tif 000007